(57)【要約】【課題】局線と宅内線とを結合する通信用保安器の内部に、放電管用の接地電位を接続するために、現場でのハンダ接続作業およびドライバを用いるねじ締め付け作業を必要としない構造を提供する。通信用保安器の設置工事に伴う作業工数を低減する。【解決手段】保安器回路を回路基板に取付けるための機械構造として、筐体の底板から引き起こされて形成された係止金具を利用し、底板にモールド部品をこの係止金具のスナップ力により機械的に取付ける構造とする。この作業により、定常的に接地電位に接続された筐体から、回路基板に接地電位をこの係止金具を介して回路内部に導入することができる。【選択図】図５
2005184744.tif 000002
【特許請求の範囲】
【請求項１】
一対の局線端子（Ｌ1,Ｌ2）と、一対の宅内線端子（Ｉ1,Ｉ2）と、接地端子（Ｅ）と、前記一対の局線端子（Ｌ1,Ｌ2）と前記一対の宅内線端子（Ｉ1,Ｉ2）との間をそれぞれフューズ（Ｆ1,Ｆ2）を介して接続するとともに前記局線端子（Ｌ1,Ｌ2）の対線を一つの三極放電素子（Ｖ）を介して前記接地端子（Ｅ）に接続する保安器回路（３）とが一つの筐体（４）に収容された通信線保安器において、
前記保安器回路（３）は一枚の回路基板（３ａ）に実装され、
前記一対の局線端子（Ｌ1,Ｌ2）および接地端子（Ｅ）はそれぞれ一つのモールド部品（９）に３個のばね構造の電極（７、８）として形成され、
前記回路基板（３ａ）の一端をこのモールド部品（９）に形成されたスリットに嵌め込むことにより前記ばね構造の電極を介して保安器回路（３）の対応する電極がそれぞれ一対の局線および接地電位に電気的に接続される構造であり、
前記筐体（４）内に固定的に接地電位に接続される回路取付板（４ａ）を設け、
この回路取付板（４ａ）にはばね構造の係止金具（５）が形成され、
前記モールド部品（９）をこの係止金具（５）のばね作用に抗して機械的に連結することにより前記モールド部品（９）の接地電位が供給される前記ばね構造の電極（７）に電気的に連結される構造を特徴とする通信線保安器。
【請求項２】
一つの筐体（４）の内部に設けられた一枚の回路取付板（４ａ）を共通に利用して請求項１記載の通信線保安器が複数ｎ個配列して取付けられた通信線保安装置。
【請求項３】
前記回路取付板（４ａ）は前記筐体（４）の底板である請求項２記載の通信線保安装置。
【請求項４】
前記回路取付板は二枚の板状の部品（４ａ,４ｂ）を含む二重構造とする請求項１記載の通信保安器。
【請求項５】
固定的に接地電位が接続される回路取付板（４ａ）に打ち抜き加工により形成された一対の係止金具（５、６）を設け、この係止金具に回路基板（３ａ）を支持するためのモールド部品（９）を差し込むことにより、このモールド部品（９）を前記回路基板（３ａ）に機械的に固定するとともに、そのモールド部品（９）の内部の接地電極（７）に前記係止金具の一方（５）を介して接地電位を導入する構造を特徴とする通信線保安器。
【発明の詳細な説明】
【技術分野】
【０００１】
本発明は、電話線など対線による通信線を利用者宅内に接続するための引き込み点に利用する通信線保安器の改良に関する。本発明は、オフィス・ビルや集合住宅など多数対の通信線を引き込む形態の通信線保安器として、あるいは個別住宅など一対または少数対の通信線を引き込む形態の通信線保安器として利用する。本発明は、通信線引き込み工事作業の省力化をはかるものである。
【背景技術】
【０００２】
一回線の電話線は、電話局の交換装置から利用者宅内まで、それぞれ個別に一対の通信線をメタリックに接続することにより構成される。通信線は利用者の宅内（ビルまたは家屋）まで、地下ケーブルあるいは屋外架空ケーブルを利用して配線される。通信線はしばしば電力線と並行して配線されるから、通信線と電力線との間に予期されない混触が生じる可能性があり、また屋外ケーブルでは誘導雷などにより、通信線にはその規格を大幅に越える異常な電圧あるいは電流が生じることがある。これらの大きい電圧や電流から、利用者宅内に接続される通信装置を保護するために、宅内への引き込み点に通信線保安装置を設ける技術が旧くから知られている。
【０００３】
その代表的な回路を例示すると、図１に示すように、局線側端子（Ｌ1,Ｌ2）と宅内線端子（Ｉ1,Ｉ2）との間に、大電流で溶断する一対のフューズ（Ｆ1,Ｆ2）を回線に直列に挿入するとともに、対線（Ｌ1,Ｌ2）および接地電位（Ｅ）との間に三極放電管（Ｖ）を接続して、対線間または対線の接地に対する電位が異常に大きくなったときに、これを短絡放電させる放電管（Ｖ）が挿入される。近年は、通信線が電話以外にも、たとえばインターネット接続のためにも利用されるようになり、図１に示す破線Ｚの位置には、このためのフィルタ回路が接続されることがある。このフィルタ回路Ｚは本発明には直接関係がないので、ここでは単に接続位置を表示するにとどめる。フィルタ回路が挿入されたときには、フィルタ回路の内部エレメントにフューズの役目をもたせて、フューズそのものを省略する構成もある。
【０００４】
オフィス・ビルや集合住宅に対する通信線引き込み点には、複数ｎ対の通信線に対してまとめて一つの通信線保安装置が設置される。これは建造物の構造にしたがって、ビルの電気室や階段の下などの適当な空間に配置される。複数ｎは例示すると、５,１０,２５,５０などである。一戸建ての住宅に対しては、軒下の壁などに一回線または二回線用の通信線保安装置が配置される。
【０００５】
このような通信線保安装置の設置工事には、通信線の接続および接地電位の接続のために、原則的に現場でのハンダ付け作業や、ドライバを用いるねじ止め作業を必要としていた。従来例装置には、ばね構造の電極を備えたモールド部品を用いて、接続作業のつどハンダ付けやねじ止め作業をすることなく、電線を保安器回路の基板に接続できる構造のものも知られている（例えば下記［特許文献１］の図１参照）。
【０００６】
従来例構造については下記特許文献に開示がある。
【特許文献１】特開平５−２３４６２４号公報
【特許文献２】特開平７−９５１３４号公報
【特許文献３】特開平１０−２０９５８９号公報
【特許文献４】特開２００３−１６０４６０号公報
【発明の開示】
【発明が解決しようとする課題】
【０００７】
上記のように通信線の接続にはばね構造の電極が利用され、ハンダ付け作業およびねじ締め付けの作業を必要としないものも知られているが、接地電位の接続については従来装置はそのような構造になっていない。すなわち接地電位の接続については、回線および接地の端子となるモールド部品を回路基板に取付けた後に、回線毎に接続ピンの接地電位接続点をハンダ付けする作業またはドライバによるねじによる締め付け作業が必要である（例えば上記［特許文献１］の図５参照）。このようなハンダ付け作業またはねじ締め付け作業は、通信線引き込み工事の作業工数を大きくする原因になっていた。
【０００８】
本発明はこれを改良するものであって、通信用保安器回路に設けられる放電管の接地電位の配線接続に、ハンダ付け作業およびねじ締め付け作業を必要としない装置を提供することを目的とする。本発明は通信線引き込み工事、および通信用保安器装置を設置する現場作業の工数を低減することを目的とする。本発明は、部品の機械的な取付けにより接地電位の配線接続を必要としない通信用保安器を提供することを目的とする。
【課題を解決するための手段】
【０００９】
本発明は、保安器回路（３）が実装された回路基板（３ａ）の端部をモールド部品（９）に形成したスリット（１０）に差し込むことにより、ばね構造の係止金具（５、６）により機械的な取付けと同時に接地電位の接続を行う構造である。さらに具体的には、モールド部品（９）を筐体の底板である回路取付板（４ａ）に取付けるための構造について、回路取付板（４ａ）となる板材から打ち抜き加工により引き起こし形成したばね構造の係止金具（５、６）を設け、この係止金具（５、６）のスナップ力またはばね作用によりモールド部品を挟持するように機械的に取付けることにより、他に接地電位の配線を行わなくとも、この係止金具（５）を介してモールド部品（９）の内部接地電極に接地電位が導入される構造とした。すなわち、本発明は、筐体（４）の回路取付板（４ａ）に形成された係止金具（５、６）にモールド部品（９）を機械的に差し込むことにより、モールド部品（９）内部の電極（７）に自律的に接地電位が現れる構造としたところに最大の特徴がある。
【００１０】
すなわち本発明は、一対の局線端子（Ｌ1,Ｌ2）と、一対の宅内線端子（Ｉ1,Ｉ2）と、接地端子（Ｅ）と、前記一対の局線端子（Ｌ1,Ｌ2）と前記一対の宅内線端子（Ｉ1,Ｉ2）との間をそれぞれフューズ（Ｆ1,Ｆ2）を介して接続するとともに前記局線端子（Ｌ1,Ｌ2）の対線を一つの三極放電素子（Ｖ）を介して前記接地端子（Ｅ）に接続する保安器回路（３）とが一つの筐体（４）に収容された通信線保安器において、前記保安器回路（３）は一枚の回路基板（３ａ）に実装され、前記一対の局線端子（Ｌ1,Ｌ2）および接地端子（Ｅ）はそれぞれ一つのモールド部品（９）に３個のばね構造の電極（７、８）として形成され、前記回路基板（３ａ）の一端をこのモールド部品（９）に形成されたスリットに嵌め込むことにより前記ばね構造の電極を介して保安器回路（３）の対応する電極がそれぞれ一対の局線および接地電位に電気的に接続される構造であり、前記筐体（４）内に固定的に接地電位に接続される回路取付板（４ａ）を設け、この回路取付板（４ａ）にはばね構造の係止金具（５）が形成され、前記モールド部品（９）をこの係止金具（５）のばね作用に抗して機械的に連結することにより前記モールド部品（９）の接地電位が供給される前記ばね構造の電極（７）に電気的に連結される構造を特徴とする。かっこ内の記号は参考までに付す図面参照記号である。
【００１１】
一つの筐体（４）の内部に設けられた一枚の回路取付板（４ａ）を共通に利用して、上記形態の通信線保安器が複数ｎ個配列して取付けられた通信線保安装置として構成することができる。前記回路取付板（４ａ）は前記筐体（４）の底板とすることができる。
【００１２】
前記回路取付板は二枚の板状の部品（４ａ,４ｂ）を含む二重構造とすることができる。
【００１３】
本発明の通信線保安器は、異なる観点から表現すると、固定的に接地電位が接続される回路取付板（４ａ）に打ち抜き加工により形成された一対の係止金具（５、６）を設け、この係止金具に回路基板（３ａ）を支持するためのモールド部品（９）を差し込むことにより、このモールド部品（９）を前記回路基板（３ａ）に機械的に固定するとともに、そのモールド部品（９）の内部の接地電極（７）に前記係止金具の一方（５）を介して接地電位を導入する構造を特徴とする。また、打ち抜き加工により形成された一対の係止金具（５、６）が設けられた小型の回路取付板（４ｂ）を介して回路取付板（４ｃ）にモールド部品（９）を固定して接地電位を導入することも可能である。
【発明の効果】
【００１４】
本発明の保安器装置は、筐体内の回路取付板に形成したばね構造の係止金具にモールド部品を機械的に取付けることにより、モールド部品内部の接地電極にその係止金具を介して接地電位が自動的に現れるから、利用者宅内などの作業現場でハンダ付け作業およびドライバを用いるねじの締め付け作業を行うことが不要になり、通信用保安器装置の取付け作業の工数をいちじるしく小さくすることができる。
【発明を実施するための最良の形態】
【００１５】
（第一実施例）
図面を参照して本発明実施例装置の構成を説明する。図１はｎ回線用の通信線保安装置について電気的な結線を示す回路図である。図２はその実体構造を示す斜視図である。図３は一つの保安器回路３の内部に実装されているプリント回路基板３ａの斜視図である。
【００１６】
図１を参照して、この通信線保安装置は集合住宅の階段下の空間、あるいはオフィス・ビルの電気室などに取付けて利用される。局線端子１には一対の局線（Ｌ1,Ｌ2）が接続される。局線は、一般に架空ケーブルや地下ケーブルを経由して、電話局の交換装置に接続されている。宅内線端子２には一対の宅内線（Ｉ1,Ｉ2）が接続される。宅内線（Ｉ1,Ｉ2）は建物内の通信線用配管を通る対線により、各利用者の宅内端子に接続される。保安器回路３には一対のフューズ（Ｆ1,Ｆ2）および一個の三極放電管（Ｖ）を含む。この三極放電管（Ｖ）の一対の対向電極はそれぞれ回路基板上のプリント配線により、一対の局線（Ｌ1,Ｌ2）に接続される印刷された電極に、接地電極はプリント配線により印刷された接地電極（Ｅ）にそれぞれ接続される。
【００１７】
この保安器回路３は通信回線の一回線毎に一個が設けられ、この実施例ではｎ回線分（No.１〜No.ｎ）が一つの金属製の筐体４の内部に実装される。筐体４は太い接地線により、あるいはあらかじめ接地工事が施された架に取付けることにより、定常的に接地電位に接続されている。上記回線数ｎは例示するとｎ＝１０である。
【００１８】
図２に示すようにこの保安器回路３はほぼ直方体の形状であり、そのおおよその大きさは、長さｓは７６mm、幅ｔは１２mm、高さｕは１４mmである。そしてこの保安器回路３の内部には図３に示すように一枚の印刷配線による回路基板３ａを含み、この回路基板３ａの表面に、上述の放電管（Ｖ）、一対のフューズ（Ｆ1,Ｆ2）その他回路部品が搭載される。図３では、図面が複雑になるので搭載部品および詳しい印刷パターンの表示は省略する。この回路基板３ａの端部には三つの接触電極（Ｌ1,Ｌ2,Ｅ）が印刷配線により形成されている。この回路基板３ａの端部が図２に示すモールド部品９に形成されたスリットに挿入されることにより、モールド部品９の内部電極と接触する。
【００１９】
図４はモールド部品９の斜視図である。図４に示す矢印の位置に回路基板３ａが挿入される。この矢印は図３に示す矢印に対応する。そしてこの回路基板３ａに外カバーを被せることにより図２に示す保安器回路３の形態となる。
【００２０】
内部電極の接触状態を図５および図６によりさらに詳しく説明する。図５および図６はモールド部品９の断面構造を示す。図５は図２に表示するＡ−Ａ位置における断面を示す。図６は同じく図２に表示するＢ−Ｂ位置における断面を示す。すなわち図５（Ａ−Ａ断面）はちょうど図３に示す接地電極Ｅの位置を通る断面を表示し、図５（Ｂ−Ｂ断面）はちょうど図３に示す電極Ｌ2の位置を通る断面を表示する。図３の電極Ｌ1を通る断面図は図６に示すＢ−Ｂ断面と同等になり図面が重複するので表示を省略する。
【００２１】
すなわち図５および図６に表示する下向きの矢印の位置で、この矢印の方向に、回路基板３ａの端部がモールド部品９に形成されたスリット１０に挿入されると、ばね構造の電極７およびばね構造の電極８が、それぞれ回路基板３ａに形成された接触電極（ＥおよびＬ2）にばね作用により強く接触する。図示を省略するが接触電極（Ｌ1）についても同様である。
【００２２】
ここで本発明の特徴とするところは、図５に示すモールド部品９を取付けるための係止金具５から、このモールド部品９の内部に接地電位を導入するための構造にある。すなわち回路取付板４ａは、この実施例装置ではこの装置が収容される筐体４の底板である。回路取付板４ａは金属製である。上述のように筐体４は金属により形成され、さらに上記したようにこの筐体４には固定的に接地電位が接続されている。この筐体４の底板から爪形状の係止金具５が引き起こされている。そしてモールド部品９の内部では、ばね構造の電極７の下部が延長され、Ｕ字形状に折り返され、壁面に沿って立ち上げられた部分で、上記係止金具５に強く接触することになる。係止金具６はこの係止金具５に対向するように、同じく筐体４の底板から引き起こされて形成されている。モールド部品９をこの対向する一対の係止金具５および６の間に挿入すると、この係止金具６の先端は、ちょうどモールド部品９のその位置に形成された穴（または凹部）に落ち込む。
【００２３】
この構造により、この二つの係止金具５および６が、そのばね作用によりモールド部品９を強く挟持し、モールド部品９は筐体４の底板に機械的に固定されることになる。それと同時に回路取付板４ａの係止金具５から、接地電位がばね構造の電極７に電気的に接続されることになる。機械的な構造を支持することに利用される係止金具６は、図２に示す斜視図にも表われる。これもこの作用を理解するたすけになる。
【００２４】
一方、図６に示すばね構造の電極８は局線側の電線（Ｌ2）に接続される電極である。このばね構造の電極８については、モールド部品９の内部でＵ字形状に折り曲げ形成されているが、これは局線端子1に局線側の電線（Ｌ2）が挿入されたとき、局線Ｌ2に強く接触して局線Ｌ2の電位となる。これは絶縁体による底板１１を設けて底面に表われる回路取付板４ａと隔離絶縁される。図示を省略する局線側の電線（Ｌ1）についても同様である。なお、この底板１１に代えて電線（Ｌ1,Ｌ2）にかみ合う電極板を延長させて電線が回路取付板４ａと接触しない構造としてもよい。
【００２５】
上記のような構造とすることにより、保安器回路３の内部に導入する接地電位については、モールド部品９を筐体４の底板に機械的に取付けることにより、なんら特別な接続作業を行う必要がなくなる。この構造により従来同種のさまざまな構造の装置で等しく必要とした工事現場でのハンダ接続作業やドライバを用いたねじ締め付け作業を省くことができる。局線端子１および宅内線端子２についても、いずれもばね構造の電極を利用することができるから、本発明により、保安器回路取付け現場でのハンダ接続作業およびねじの締め付け作業はいっさい回避することができることになった。  
（第二実施例）
【００２６】
図７は本発明第二実施例装置の構造斜視図である。この第二実施例装置は、本発明を一戸建ての住宅用など回線数の少ない通信線保安装置に実施したものである。この実施例装置は最大２回線まで収容できる構造のものである。
【００２７】
この第二実施例装置は、回路取付板を実質的に二重構造に形成したところにその特徴がある。すなわち図８に示す回路取付板４ｂおよび図９に示す回路取付板４ｃを重ね合わせて用いる。はじめに上記第一実施例で説明したものと同等のモールド部品９の底部を回路取付板４ｂに嵌め込んでから、これを回路取付板４ｃに取付ける構造としたものである。この取付けの様子を図９に示す。この形態でも、係止金具５および６がモールド部品９を機械的に保持するとともに、係止金具５を介してモールド部品９の内部に設けられた接地電極に、接地電位が自律的に導入されることになる。
【００２８】
図８に示すように、小型の回路取付板４ｂは一枚の金属板から抜き打ち加工により形成される。図９に示すように、この回路取付板４ｂの端部は、回路取付板４ｃの端部折り返し構造と噛み合い、相互に機械的に保持固定されるとともに、回路取付板４ｃに固定的に接続された（図示せず）接地電位が、自律的に回路取付板４ｂに現れることになる。
【００２９】
回路取付板４ｃまたはこの類似形状の回路取付板は同業者の間で広く用いられている既存の構造のものである。したがって、既存の回路取付板４ｃを利用することが部品単価も安くなり簡便である。また図５（断面構造図）を用いてすでに説明したように、係止金具５および６の加工精度は、モールド部品９の形態に合わせて相応に高い加工精度を必要とするから、回路取付板４ｃを別部品として製作することが有利となることを期待するものである。モールド部品９と回路取付板４ｂを組み合わせた形態を一つの部品として販売することもできる。
【００３０】
なお、第一実施例は、係止金具５、６を回路取付板４ａから直接引き起こす構造で説明したが、図８に示した小型の回路取付板４ｂを介して回路取付板４に取り付けることも可能である。この場合には、図９に示すような回路取付板４ｂを固定する構造を回路取付板４ａに設ける。
【００３１】
この構造により、配線工事にはハンダ付け作業およびドライバを用いたねじ止め作業は一切不要になるから、配線工事の作業工数を小さくすることができる。
【産業上の利用可能性】
【００３２】
電話線に限らず対線構造のインターネット接続用の宅内配線その他にも本発明を実施することができる。その場合には必要なフィルタあるいは分離回路などを本発明の通信線保安装置の内部に実装する構成とすることができる。
【図面の簡単な説明】
【００３３】
【図１】本発明第一実施例通信線保安装置の電気回路図。
【図２】本発明第一実施例通信線保安器回路の斜視図。
【図３】本発明実施例装置に利用する回路基板の斜視図。
【図４】本発明実施例装置に利用するモールド部品の斜視図。
【図５】本発明実施例装置の取付け構造を説明する断面構造図。
【図６】本発明実施例装置の取付け構造を説明する断面構造図。
【図７】本発明第二実施例装置の斜視図。
【図８】本発明第二実施例装置に用いる回路取付板の斜視図。
【図９】本発明第二実施例装置の組み立て構造を説明する分解斜視図。
【符号の説明】
【００３４】
１    局線端子
２    宅内線端子
３    保安器回路
３ａ  回路基板
４    筐体
４ａ,４ｂ,４ｃ  回路取付板
５    係止金具（接地電位）
６    係止金具
７    ばね構造の電極（Ｅ）
８    ばね構造の電極（Ｌ2）
９    モールド部品
１０    スリット
１１    底板（絶縁性）
【図１】
2005184744.tif 000003
【図２】
2005184744.tif 000004
【図３】
2005184744.tif 000005
【図４】
2005184744.tif 000006
【図５】
2005184744.tif 000007
【図６】
2005184744.tif 000008
【図７】
2005184744.tif 000009
【図８】
2005184744.tif 000010
【図９】
2005184744.tif 000011